(57)【要約】【課題】低コスト化適性にすぐれるともに、たとえば強風等によって元親骨に多少の曲げが生じても容易に折れることなく、傘機能を維持することができる強靭性を備えることができ、さらに傘を従来よりも小さく折り畳むことも可能にした折畳式傘を提供する。【解決手段】元親骨４１を略円形断面のワイヤー状細棒で構成するとともに、その両端に扁平部４１１，４１２を加工形成し、この扁平部に受骨４５、中親骨４２、ロクロ２２とのヒンジ連結のための軸孔６７を設ける。【選択図】  図１
2006158637.tif 000002
【特許請求の範囲】
【請求項１】
伸縮式中棒の上部に固定された上ロクロと、上ロクロの下方にて上記中棒に摺動自在に案内される下ロクロと、元親骨と中親骨と先親骨をヒンジ連結してなる屈伸可能な親骨と、上記元親骨の中間部に先端部がヒンジ連結する受骨を有するとともに、上記元親骨の基端部と上記受骨の基端部を上ロクロと下ロクロに振り分けてヒンジ連結させた折畳式傘において、上記元親骨は略円形断面のワイヤー状細棒であって、その両端に扁平部を加工形成し、この扁平部に中親骨およびロクロとのヒンジ連結のための軸孔を設けたことを特徴とする折畳式傘。
【請求項２】
請求項１において、ワイヤー状細棒としてスチール線材を用いたことを特徴とする折畳式傘。
【請求項３】
請求項１または２において、中親骨は、ヒンジ連結された第１と第２の２本の分割中親骨からなることを特徴とする折畳式傘。
【請求項４】
請求項３において、元親骨と第２の分割中親骨の間にワイヤーバネが架橋装設されるとともに、このワイヤーバネの中間部と第１の分割中親骨の中間部とを一緒に遊嵌挿通させる環状リング部材により、ワイヤーバネを第１の分割中親骨の中間部に遊動可能に拘束させたことを特徴とする折畳式傘。
【請求項５】
請求項１〜４のいずれかにおいて、中親骨が略円形断面のワイヤー状細棒で構成されるとともに、元親骨と連結する側の端部にはダボ金具が冠着し、先親骨と連結する側の端部には扁平部が加工形成され、この扁平部に先親骨とのヒンジ連結のための軸孔を設けたことを特徴とする折畳式傘。
【請求項６】
請求項１〜５のいずれかにおいて、受骨の先端部がヒンジ連結する元親骨の中間部にダボ金具を冠着させたことを特徴とする折畳式傘。
【請求項７】
請求項１〜６のいずれかにおいて、受骨の先端部がヒンジ連結する元親骨の中間部に扁平部を加工形成し、この扁平部に上記受骨とのヒンジ連結のための軸孔を設けたことを特徴とする折畳式傘。
【請求項８】
請求項１〜７のいずれかにおいて、受骨を略円形断面のワイヤー状細棒で構成するとともに、その両端にヒンジ連結のための扁平部を加工形成したことを特徴とする折畳式傘。
【請求項９】
請求項１，２，５〜８のいずれかにおいて、元親骨、中親骨、先親骨の３本をヒンジ連結してなる３つ折式親骨を備えたことを特徴とする折畳式傘。
【請求項１０】
請求項１〜３，５〜９のいずれかにおいて、親骨の屈伸動作にスプリングアクションを与えるために、元親骨と先親骨間に架橋装設されたワイヤーバネの中間部を中親骨の中間部に遊動可能に拘束させるとともに、その係止部分は、ワイヤーバネの中間部に中親骨に回り込むループ部を折曲形成してなることを特徴とする折畳式傘。
【発明の詳細な説明】
【技術分野】
【０００１】
この発明は折畳式傘に関し、たとえば４つ折り式あるいは３つ折り式の親骨を用いた多段式折畳傘に適用して有効なものに関する。
【背景技術】
【０００２】
たとえば多段式折畳傘は、図１０に示すように、元親骨４１’と、第１と第２の２本の分割中親骨４２’，４３と、先親骨４４とを屈伸可能にヒンジ連結してなる４つ折り式親骨４０’を用いて構成される。
【０００３】
同図において、元親骨４１’の中間部には受骨４５の先端部がヒンジ連結している。元親骨４１’の基端部は下ロクロ２２にヒンジ連結し、受骨４５の基端部は上ロクロ２１にヒンジ連結している。これにより、下ロクロ２２の上下移動に連動して親骨４０’が屈曲／伸展（屈伸）させられる一種のパンタグラフ形リンク機構が形成されている。この親骨４０’の屈伸に伴って傘の開閉が行われる。
【０００４】
上ロクロ２１は伸縮式中棒１０の上部に固定され、下ロクロ２２は上ロクロ２１の下方にて上記中棒１０に摺動自在に案内される。中棒１０は入れ子パイプによる５段伸縮式であって、上端には石突１１、下端には手先１２がそれぞれ取りつけられている。また、下ロクロ２２を開傘位置に係脱自在に係止するためのハジキ１３が取りつけられている。
【０００５】
受骨４５と第１の分割中親骨４２’の間には、ワイヤー状連棹５１が架橋装設されることにより、一種の平行リンク機構を形成している。また、第１の分割中親骨４２’と先親骨４４の間にも、ワイヤー状連棹５３が架橋装設されることにより、一種の平行リンク機構を形成している。さらに、元親骨４１’と第２の分割中親骨４３の間にワイヤーバネ（バネ直線）５２が架橋装設されるとともに、このワイヤーバネ５２の中間部が第１の分割中親骨４２’の中間部に遊動可能に拘束されている。この連棹５１，５３およびワイヤーバネ５２により、親骨４０’の屈伸動作を下ロクロ２２の上下移動に従動させるとともに、その屈伸動作にバネアクションを与えるようになっている。
【０００６】
この場合、元親骨４１’と受骨４５間のヒンジ連結部分と、ワイヤーバネ５２を第１の分割中親骨４２’に遊動可能に拘束する部分には、同図に部分拡大して示すように、いずれも、ヒンジ・ピン６６が取りつけられている。他のヒンジ連結部分も同様にヒンジ・ピンが取りつけられている。とくに元親骨４１’は、その両端部と中間部の３箇所にヒンジ連結部分があり、それぞれに上記ヒンジ・ピン６６が取りつけられている。これ以外にも、親骨４１’には、ワイヤー状連棹５１の端部を引っ掛け係止させるための通し孔などが設けられる。
【０００７】
このため、元親骨４１’および第１の分割中親骨４２’は、図１１に示すように、Ｕ字断面状の溝骨を用いて構成していた。この溝骨はアルミニウム等の金属薄板をＵ字状に折曲加工したものであって、剛性があるとともに、上記ヒンジ・ピン６６を取りつけるための軸孔６７を設けるのに都合がよいため、傘の骨材とくに親骨や中骨の骨材として多用されている（たとえば、特開２００３−１８９９１６参照）。
【特許文献１】特開２００３−１８９９１６
【発明の開示】
【発明が解決しようとする課題】
【０００８】
しかしながら、上述した折畳式傘には次のような問題があった。  
すなわち、溝骨で構成された元親骨４１’は、剛性はあるものの、たとえば強風等によっていったん曲げが生じると、その曲げ部分から容易に折れてしまうという問題があった。つまり、剛性はあるが脆くて折れやすいという問題があった。親骨４０’の基端に位置する元親骨４１’は、親骨４０’の中で最も強度を要求される部位である。しかし、この元親骨４１’は、その中間部に受骨４５の先端部が連結していることにより、その連結部に大きな曲げ荷重が加わって折れやすいという問題のあることが判明した。
【０００９】
また、溝骨で構成された元親骨４１’は傘の折畳方向に対して一定の厚みを有するが、その厚みが傘を小さく（細くまたは薄く）折り畳むのを阻害するという問題もあった。さらに、溝骨はその製作工数が多くてコスト高であるという問題もあった。
【００１０】
この発明は、以上のような問題を鑑みてなされたもので、その目的は、低コスト化適性にすぐれるともに、たとえば強風等によって元親骨に多少の曲げが生じても容易に折れることなく、傘機能を維持することができる強靭性を備えることができ、さらに傘を従来よりも小さく折り畳むことも可能にした折畳式傘を提供することにある。
【００１１】
本発明の上記以外の目的および構成については、本明細書の記述および添付図面からあきらかになるであろう。
【課題を解決するための手段】
【００１２】
本発明の手段は、次の（１）を特徴とする。  
（１）伸縮式中棒の上部に固定された上ロクロと、上ロクロの下方にて上記中棒に摺動自在に案内される下ロクロと、元親骨と中親骨と先親骨をヒンジ連結してなる屈伸可能な親骨と、上記元親骨の中間部に先端部がヒンジ連結する受骨を有するとともに、上記元親骨の基端部と上記受骨の基端部を上ロクロと下ロクロに振り分けてヒンジ連結させた折畳式傘において、上記元親骨は略円形断面のワイヤー状細棒であって、その両端に扁平部を加工形成し、この扁平部に中親骨およびロクロとのヒンジ連結のための軸孔を設けたことを特徴とする折畳式傘。
【００１３】
上記手段においては、実施形態として次のような手段がとくに有効である。
【００１４】
（２）上記手段（１）において、ワイヤー状細棒としてスチール線材を用いたことを特徴とする折畳式傘。
【００１５】
（３）上記手段（１）または（２）において、中親骨は、ヒンジ連結された第１と第２の２本の分割中親骨からなることを特徴とする折畳式傘。
【００１６】
（４）上記手段（３）において、元親骨と第２の分割中親骨の間にワイヤーバネが架橋装設されるとともに、このワイヤーバネの中間部と第１の分割中親骨の中間部とを一緒に遊嵌挿通させる環状リング部材により、ワイヤーバネを第１の分割中親骨の中間部に遊動可能に拘束させたことを特徴とする折畳式傘。
【００１７】
（５）上記手段（１）〜（４）のいずれかにおいて、中親骨が略円形断面のワイヤー状細棒で構成されるとともに、元親骨と連結する側の端部にはダボ金具が冠着し、先親骨と連結する側の端部には扁平部が加工形成され、この扁平部に先親骨とのヒンジ連結のための軸孔を設けたことを特徴とする折畳式傘。
【００１８】
（６）上記手段（１）〜（５）のいずれかにおいて、受骨の先端部がヒンジ連結する元親骨の中間部にダボ金具を冠着させたことを特徴とする折畳式傘。
【００１９】
（７）上記手段（１）〜（６）のいずれかにおいて、受骨の先端部がヒンジ連結する元親骨の中間部に扁平部を加工形成し、この扁平部に上記受骨とのヒンジ連結のための軸孔を設けたことを特徴とする折畳式傘。
【００２０】
（８）上記手段（１）〜（７）のいずれかにおいて、受骨を略円形断面のワイヤー状細棒で構成するとともに、その両端にヒンジ連結のための扁平部を加工形成したことを特徴とする折畳式傘。
【００２１】
（９）上記手段（１），（２），（５）〜（８）のいずれかにおいて、元親骨、中親骨、先親骨の３本をヒンジ連結してなる３つ折式親骨を備えたことを特徴とする折畳式傘。
【００２２】
（１０）上記手段（１）〜（３），（５）〜（９）のいずれかにおいて、親骨の屈伸動作にスプリングアクションを与えるために、元親骨と先親骨間に架橋装設されたワイヤーバネの中間部を中親骨の中間部に遊動可能に拘束させるとともに、その係止部分は、ワイヤーバネの中間部に中親骨に回り込むループ部を折曲形成してなることを特徴とする折畳式傘。
【発明の効果】
【００２３】
低コスト化適性にすぐれるともに、たとえば強風等によって元親骨に多少の曲げが生じても容易に折れることなく、傘機能を維持することができる強靭性を備えることができ、さらに傘を従来よりも小さく折り畳むことも可能にした折畳式傘を提供することができる。
【００２４】
上記以外の作用／効果については、本明細書の記述および添付図面からあきらかになるであろう。
【発明を実施するための最良の形態】
【００２５】
図１および図２は本発明の第１実施形態をなす折畳式傘の骨組構造を示す。図１はその骨組を半分屈曲させた半閉傘（あるいは半開傘）状態を示す、図２はその骨組を完全に伸展させた開傘状態であって、符号１５は傘布地を示す。
【００２６】
同図に示す折畳式傘は元親骨４１と、第１と第２の２本の分割中親骨４２，４３と、先親骨４４とを屈伸可能にヒンジ連結してなる４つ折り式親骨４０を用いて構成される。
【００２７】
元親骨４１の中間部には受骨４５の先端部がヒンジ連結している。元親骨４１の基端部は下ロクロ２２にヒンジ連結し、受骨４５の基端部は上ロクロ２１にヒンジ連結している。これにより、下ロクロ２２の上下移動に連動して親骨４０が屈曲／伸展（屈伸）させられる一種のパンタグラフ形リンク機構が形成されている。この親骨４０の屈伸に伴って傘の開閉が行われる。
【００２８】
上ロクロ２１は伸縮式中棒１０の上部に固定され、下ロクロ２２は上ロクロ２１の下方にて上記中棒１０に摺動自在に案内される。中棒１０は５本のパイプを入れ子式に同軸連結した５段スライド伸縮式であって、最伸長と最短縮の２状態でそれぞれクリック・ロック（図示省略）されるようになっている。この中棒１０の上端には石突１１、下端には手先１２がそれぞれ取りつけられている。また、下ロクロ２２を開傘位置に係脱自在に係止するためのハジキ１３が取りつけられている。
【００２９】
受骨４５と第１の分割中親骨４２の間には、ワイヤー状連棹５１が架橋装設されることにより、一種の平行リンク機構を形成している。また、第１の分割中親骨４２と先親骨４４の間にも、ワイヤー状連棹５３が架橋装設されることにより、一種の平行リンク機構を形成している。さらに、元親骨４１と第２の分割中親骨４３の間にワイヤーバネ（バネ直線）５２が架橋装設されるとともに、このワイヤーバネ５２の中間部が第１の分割中親骨４２の中間部に遊動可能に拘束されている。この連棹５１，５３およびワイヤーバネ５２により、親骨４０の屈伸動作を下ロクロ２２の上下移動に従動させるとともに、その屈伸動作にバネアクションを与えるようになっている。
【００３０】
また、図１中に部分拡大して示すように、元親骨４１の中間部にはダボ金具６１が冠着し、このダボ金具６１にはヒンジ・ピン６６が取りつけられている。このヒンジ・ピン６６により受骨４５の先端部がヒンジ連結されている。第１分割中親骨４２の両端と第２の分割中親骨４３の先端もそれぞれダボ金具６２，６３，６５によるヒンジ連結部が形成されている。
【００３１】
ワイヤーバネ５２は、その基端が元親骨４１の先端側に連結されるとともに、その先端が独立のダボ金具（リンク金具）６４にヒンジ連結されている。このダボ金具６４は、その一端が上記ワイヤーバネ５２の先端とヒンジ連結し、その他端が第１の中親骨４２の先端に冠着するダボ金具６３の先端にヒンジ連結している。
【００３２】
ワイヤーバネ５２の中間部は、図１中に部紛拡大して示すように、第１の分割中親骨４２の中間部と一緒に環状リング部材７１に遊嵌挿通させられることにより、その第１の分割中親骨４２に遊動可能に拘束させられている。
【００３３】
ワイヤーバネ５２は、その遊動可能な範囲内でほぼ直線に形成されている。その直線範囲の両側には環状リング部材７１の移動を係止する屈曲部が形成されている。上記環状リング部材７１によるワイヤーバネの５２の拘束構造は、中親骨４２の形状単純化をはかるのに非常に有効な手段である。
【００３４】
図３は上記骨組構造の主要部をなす親骨４０の構成部品（４１〜４４）と受骨４５を示す。親骨４０は、元親骨４１と、第１と第２の２本の分割中親骨４２，４３と、先親骨４４の４本によって構成されている。受骨４５は、アルミニウムまたはアルミニウム合金等の金属薄板をＵ字状に折曲加工した溝骨を用いて構成され、両端部にヒンジ連結のための軸孔６７が形成されている。先親骨４４は細棒状のＦＲＰ（繊維強化樹脂）で構成され、その基端にはダボ金具６５が冠着し、その先端には露先４４１が取りつけられている。
【００３５】
元親骨４１および第１と第２の２本の分割中親骨４２，４３はそれぞれ、略円形断面のワイヤー状細棒、具体的にはスチール線材を用いて構成されている。このスチール線材は、線引き等により低コストに量産提供されているものを使用できる。したがって、略円形断面のワイヤー状細棒の使用は、親骨の低コスト化に大きく寄与し、この種の折畳式傘の低コスト化適性を大幅に向上させるものである。
【００３６】
元親骨４１は、図４にその側面図と各部の断面図を示すように、所定長さのスチール線材を用いて構成され、その両端に扁平部４１１，４１２がプレス等により加工形成されている。この扁平部４１１，４１２の形成はプレスあるいは簡単な金型等により高効率に行うことができる。したがって、略円形断面のワイヤー状細棒の使用は、その細棒素材の低コスト性に加えて、加工コストの面でも低コスト化に大きく寄与する。
【００３７】
一方の扁平部４１１には、ロクロ２２にヒンジ連結するための軸孔６７が設けられている。他方の扁平部４１２には、中親骨４２とヒンジ連結するための軸孔６７、およびワイヤーバネ５２の一端を係止連結させるための通し孔６８が設けられている。また、中間部にも扁平部４１３がプレス等により加工形成されている。この扁平部４１３には上記受骨４５とのヒンジ連結のための軸孔６７が設けられている。この扁平部４１３を含む元親骨４１の中間部は、ダボ金具６１が冠着して補強されている。
【００３８】
第１の分割中親骨４２は、図５にその側面図と各部の断面図を示すように、元親骨４１と同様に、所定長さのスチール線材を用いて構成されている。この場合、その両端にはそれぞれダボ金具６２，６３が冠着されている。基端側（図の右側）のダボ金具６２には、元親骨４１と連竿５１がヒンジ連結するための軸孔６７が設けられている。先端側（図の左側）のダボ金具６３には、第２の分割中親骨４３およびダボ金具６４と連棹５３がヒンジ連結するための軸孔６７が設けられている。なお、符号による図示を省略するが、ダボ金具６２，６３には傘布地を固定するための通し孔も形成されている。
【００３９】
第１の分割中親骨４２の中間部には、図１で部分拡大して示したように、環状リング部材７１により、ワイヤーバネ５２の中間部が遊動可能に拘束されている。この環状リング部材７１により、ワイヤーバネ５２の中間部はダボ金具を用いずに係止されている。
【００４０】
図６は上ロクロ２１と下ロクロ２２の要部断面をそれぞれ示す。同図の（ａ）に示すように、両ロクロ２１，２２はそれぞれ中央に透孔３１，３２を有する環状ボス部材であって、上ロクロ２１は中棒１０の先端に固定され、下ロクロ２２は中棒１０に摺動案内されて上下移動するように構成されている。
【００４１】
上ロクロ２１では、中央に透孔３１を有する環状ボス部材の外側部に、複数本（６本）の受骨４５の基端が環状枢支ワイヤー３４により一括的に枢支されている。同様に、同図の（ｂ）に示すように、下ロクロ２２では、複数本（６本）の元親骨４１の基端が環状枢支ワイヤー３４により一括的に枢支されている。
【００４２】
親骨４０および受骨４５はそれぞれ３本ずつ左右に振り分けられて放射状に配置されているが、このような配置とすることにより、傘を扁平（板状）に折り畳むことができる。また、図示をしないが、すべての親骨４０および受骨４５を全周にわたって等角間隔で配置した場合、傘は円形（丸棒状）に折り畳まれるようになる。
【００４３】
上述した第１実施形態の折畳式傘では、元親骨４１を略円形断面のスチールワイヤーを用いて構成しているが、これが可能なのは、その両端に扁平部４１１，４１２を加工形成し、この扁平部４１１，４１２に中親骨４２およびロクロ２２とのヒンジ連結のための軸孔６７を設けたことによる。上記構成により、元親骨４１は構造が一体化されて強化されている。この元親骨４１は、従来の溝骨を用いたものに比べて剛性はやや低いが、可撓性を備え、かつ弾性復元力が高いので、強風等によって過大な荷重を受けたときには、一時的な変形によってその荷重を受け流すことができるとともに、その荷重が解除された後で元の状態に復帰する自己復元性がすぐれている。
【００４４】
したがって、たとえば強風等によって元親骨４１に多少の曲げが生じても容易に折れることはなく、傘機能を維持することができる強靭性を備えることができる。また、元親骨４１をスチールワイヤー等の線材で構成することにより、傘の折畳方向に対する骨の厚みを小さくすることができるので、傘を従来よりも小さく（薄くまたは細く）折り畳むことが可能になる。
【００４５】
たとえば、図６に示したように、親骨４１と受骨４５を左右に振り分けて放射状に配置した状態でロクロ２１，２２にヒンジ連結させれば、非常に薄形に折り畳むことが可能になる。上述した実施形態では、中親骨４２，４３もスチールワイヤー等の線材を用いて構成してあるが、これは、親骨４０の強靭性と折畳形状のコンパクト性をさらに高めるのに非常に有効である。
【００４６】
さらに、図７に示すように、要すれば、受骨４５も略円形断面のワイヤー状細棒（スチールワイヤー）で構成することができる。この場合、その両端にはヒンジ連結のための扁平部４５１，４５２を加工形成することにより、ダボ金具を使用しない一体構造の受骨４５とすることができる。受骨４５もワイヤー状細棒で構成することにより、親骨４０の強靭性と折畳形状のコンパクト性をさらに高めることができる。また、スチールワイヤー等の線材を使用することで低コスト化適性をさらに向上させることができる。
【００４７】
図８は本発明の第２実施形態をなす折畳式傘の骨組構造を示す。同図に示す折畳式傘は、元親骨４１、中親骨４２、先親骨４４の３本をヒンジ連結してなる３つ折式親骨を用いて構成されている。
【００４８】
この第２実施形態では、親骨４０の基端が上ロクロ２１にヒンジ連結し、受骨４５の基端が下ロクロ２２にヒンジ連結している。これにより、傘の展開時には、親骨４０を傘布地（図示省略）の裏側に完全に沿わせることができる。
【００４９】
また、この第２実施形態では、親骨４０の屈伸動作にスプリングアクションを与えるために架橋装設されたワイヤーバネ５２の中間部を中親骨４２の中間部に遊動可能に拘束させる部分が、そのワイヤーバネ５２のループ部５２１によって形成されている。このループ部５２はワイヤーバネ５２の中間部に折曲形成され、中親骨５２に回り込むことにより、その中親骨５２に対して遊動可能な拘束部を形成している。これにより、部品数を少なくすることができる。
【００５０】
図９は親骨４０の構成部品である元親骨４１、中親骨４２、先親骨４４を個別に示す。同図に示すように、元親骨４１は、その全体がワイヤー状細棒（スチールワイヤー）を用いた単一部品として構成されている。両端部および中間部にはそれぞれ、プレス等による扁平部４１１，４１２，４１３が加工形成されていて、この扁平部４１１，４１２，４１３に、軸孔６７や通し孔６８などの元親骨４１として必要な部分が加工形成されている。このように形成された元親骨４１は、ダボ金具等の他の部品を必要としないため、低コスト化に適している。また、単一構造で断面が略円形であることにより、傘骨としての強度特性にもすぐれている。
【００５１】
中親骨４２は、元親骨４１と同様、その主要部がワイヤー状細棒（スチールワイヤー）を用いて構成されている。この場合、元親骨４１とのヒンジ連結部分にはダボ金具６２が冠着させられている。また、先親骨４４とのヒンジ連結部分は、プレス等による扁平部４２２が加工形成されていて、この扁平部４２２にヒンジ連結のための軸孔６７が設けられている。先親骨４４は細棒状のＦＲＰで構成され、その基端にはダボ金具６５が冠着し、その先端には露先４４１が取りつけられている。
【００５２】
上記第２実施形態では、受骨４５を溝骨で構成しているが、この受骨４５もワイヤー状細棒（スチールワイヤー）を用いて構成することができる。受骨４５もワイヤー状細棒で構成した場合は、折り畳み状態のコンパクト性と低コスト化適性をさらに向上させることができる。
【産業上の利用可能性】
【００５３】
低コスト化適性にすぐれるともに、たとえば強風等によって元親骨に多少の曲げが生じても容易に折れることなく、傘機能を維持することができる強靭性を備えることができ、さらに傘を従来よりも小さく折り畳むことも可能にした折畳式傘を提供することができる。
【図面の簡単な説明】
【００５４】
【図１】本発明の第１実施形態をなす折畳式傘の骨組構造であって、その骨組を半分屈曲させた半閉傘（半開傘）状態を示す省略側面図である。
【図２】本発明の第１実施形態をなす折畳式傘の骨組構造であって、その骨組を完全に伸展させた開傘状態を示す省略側面図である。
【図３】骨組構造の主要部をなす親骨の構成部品と受骨を個別に示す図である。
【図４】元親骨の詳細を示す側面図と各部の断面図である。
【図５】第１の分割中親骨の詳細を示す側面図と各部の断面図である。
【図６】上ロクロと下ロクロの要部断面をそれぞれ示す図である。
【図７】本発明の第１実施形態の別の態様を示す省略側面図である。
【図８】本発明の第２実施形態をなす折畳式傘の骨組構造を示す省略側面図である。
【図９】骨組構造の主要部をなす親骨の構成部品を個別に示す図である。
【図１０】従来の折畳式傘の骨組構造を示す省略側面図である。
【図１１】従来の折畳式傘で用いられていた元親骨の構成を示す斜視図である。
【符号の説明】
【００５５】
１０  伸縮式中棒
１１  石突                      １２  手先
１３  ハジキ                    １５  傘布地
２１  上ロクロ                  ２２  下ロクロ
３１  透孔                      ３２  透孔
３４  環状枢支ワイヤー
４０  親骨                      ４１  元親骨
４２  第１の分割中親骨，中親骨（非分割の場合）
４３  第２の分割中親骨
４４  先親骨                    ４４１  露先
４１１〜４１３  扁平部          ４２２  扁平部
４５１，４５２  扁平部          ４５  受骨
５１，５３  ワイヤー状連棹
５２  ワイヤーバネ（バネ直線）  ５２１  ループ部
６１〜６５  ダボ金具            ６６  ヒンジ・ピン
６７  軸孔                      ６８  通し孔
【図１】
2006158637.tif 000003
【図２】
2006158637.tif 000004
【図３】
2006158637.tif 000005
【図４】
2006158637.tif 000006
【図５】
2006158637.tif 000007
【図６】
2006158637.tif 000008
【図７】
2006158637.tif 000009
【図８】
2006158637.tif 000010
【図９】
2006158637.tif 000011
【図１０】
2006158637.tif 000012
【図１１】
2006158637.tif 000013